(57)【要約】【課題】比較的短い時間で、しかもノイズ等の影響を受けやすい標準時刻電波信号の受信環境にかかわりなく確実に自動時刻修正を行うことができる自動修正時計を提供する。【解決手段】初期時刻情報を得た後、出荷時に外部電池セット部２１から外部電位セット部２１から外部電池が外されると、運針制御を停止し、電源切替部１９により内部電池２０の電力を受けて内部時計１４０１を計時し、かつ、所定の時間間隔でラジオ放送電波の時報情報を受信させて、抽出された時報情報を基に時刻修正を行い、内部時刻の精度を確保し、外部電池が再セットされると、指針位置の原点検索を行い、内部時計の情報に基づく指針位置へ自動設定し、この状態でＡＭラジオ放送電波の正時信号を受信すると、内部時計に発生していた誤差を修正し、この誤差情報に基づく針合わせを行う制御回路１４を設ける。【選択図】      図１
2005189084.tif 000002
【特許請求の範囲】
【請求項１】
内部時計と、
少なくとも上記内部時計を駆動するための内部電源と、
少なくとも所定時刻に時刻情報を含む放送電波を受信可能なアンテナ部と、
上記内部電源または外部電源による電力供給を受けて、上記アンテナ部で受信した放送電波に基づいて時報情報を抽出する放送電波受信手段と、
外部電源が非接続時には上記内部電源による電力を供給し、外部電源が接続されると、上記内部電源による電力供給に代えて外部電源の電力供給を可能とする電源切替部と、
上記外部電源による電力供給を受けて、時刻表示が可能な時刻表示手段と、
上記放送電波受信手段で抽出した時報情報に基づいて上記内部時計が計時する時刻情報を修正し、電力供給が上記内部電源から上記外部電源の電力供給に切り替わると、上記内部時計が計時する時刻情報を上記時刻表示手段に表示させる制御手段と
を有する自動修正時計。
【請求項２】
上記時刻表示手段は、指針により時刻表示が可能である
請求項１記載の自動修正時計。
【請求項３】
上記放送電波は、時報情報として、少なくとも毎正時に同期した予め設定された周波数の正時信号を含み、
上記放送電波受信手段は、上記放送電波を基に上記周波数の正時信号を抽出するフィルタ手段を含み、
上記制御手段は、上記フィルタ手段が抽出した正時信号を基に上記内部時計が計時する時刻情報を修正する
請求項１または２記載の自動修正時計。
【請求項４】
上記制御手段は、上記フィルタ手段が抽出した正時信号を基に上記内部時計が計時する時刻情報の誤差を修正し、当該誤差情報に基づいて上記時刻表示手段の針合わせを行う
請求項３記載の自動修正時計。
【請求項５】
上記アンテナ部は、標準時刻電波信号を受信可能で、
上記アンテナ部で受信した標準時刻電波信号に基づいて標準時刻信号を生成する標準電波受信手段、をさらに有し、
上記制御手段は、初期時に上記標準電波受信手段が生成した標準時刻信号に基づいて上記内部時計が計時する時刻情報を修正する
請求項１から４のいずれか一に記載の自動修正時計。
【請求項６】
上記アンテナ部は、上記標準時刻電波信号および上記放送電波を受信可能なフェライトバーアンテナを含み、
上記標準電波受信手段は、上記フェライトバーアンテナで受信した標準時刻電波信号に基づいて標準時刻信号を生成し、
上記放送電波受信手段は、上記フェライトバーアンテナで受信した放送電波を基に時報情報を抽出する
請求項５記載の自動修正時計。
【発明の詳細な説明】
【技術分野】
【０００１】
本発明は、たとえば、毎正時付近に時報情報を含むラジオ放送等の放送電波を受信し、時報情報に基づいて時刻修正を行う自動修正時計に関するものである。
【背景技術】
【０００２】
たとえば佐賀県に設置された標準電波送信局から周波数６０ｋＨｚで送信された標準時刻電波信号や、福島県に設置された標準電波送信局から周波数４０ｋＨｚで送信された標準時刻電波信号を受信し、その標準時刻電波信号に基づいて時刻修正を行う電波修正時計が知られている（たとえば、特許文献１参照）。
【特許文献１】特開２００２−２６７７７５号公報
【発明の開示】
【発明が解決しようとする課題】
【０００３】
しかし、指針による時刻表示を行うアナログ電波修正時計のムーブメントは、指針位置検出機能を持ち、初期位置への針合わせを行った後、時刻修正を行うが、標準時刻電波信号を受信するまでの時間が長く、しかも信頼性を上げるために繰り返し受信データの確認を行うことから、結果として時刻修正にかなりの時間を要し、ユーザを十分に満足させ得るものとは言い難いのが現状である。
【０００４】
また、上述した標準電波送信局は、一般的に都心部から離れた場所に位置し、約５０ｋＷと比較的低い送信出力で標準時刻電波信号を送信しているので、たとえば２つの標準電波送信局から離れた都市部に設置された電波修正時計では、標準時刻電波信号の受信強度が弱いために、場所によっては適切に時刻修正を行えない場合がある。
【０００５】
たとえば東京都内で標準時刻電波信号を受信する場合には、２００ｋｍ以上離れた福島県に設けられた送信局からの標準時刻電波信号を受信する。一方、たとえば大阪府内で標準時刻電波信号を受信する場合には、６００ｋｍ以上離れた福島県に設けられた送信局からの標準時刻電波信号、または５００ｋｍ以上離れた佐賀県に設置された送信局からの標準時刻電波信号を受信することになり、受信強度が弱く、場所によっては適切に時刻修正を行えない場合がある。
【０００６】
たとえば標準電波として用いられる周波数４０ｋＨｚ，６０ｋＨｚ等の長波帯には、電子機器や家庭電化製品等の電子装置に対するＥＭＩ（electromagenetic interferrence：電磁妨害）に関する規制が制定されていないため、電子装置等から放射される長波帯のノイズ対策が施されていない場合がある。
電波修正時計が、この環境下で長波帯の標準電波信号を受信する場合には、それら電子装置からのノイズも同時に受信してしまい、適切に標準時刻情報を復号できずに時刻修正を行えない場合がある。
特に、交流（ＡＣ：alternate current ）電源ラインには多くのノイズが重畳しており、ＡＣ電源ラインや送電線の近傍では、そのノイズを受信してしまい、標準時刻電波信号を適切に受信することができない場合がある。
【０００７】
また、「機器やシステムの、その環境内のいかなるものに対しても許容できない妨害を与えることなく、その電磁環境内において満足に機能する能力」と定義され、たとえば電磁的両立性あるいは電磁環境両立性とも言われるＥＭＣ（electro-magnetic compatibility）の規格であるＦＣＣ米国連邦通信委員会（Federal Communication Committee ）規格では、電源線伝導波電圧について４５０ｋＨｚ以下に関する規格がなく、ＣＩＳＰＲ（国際無線障害特別委員会）規格では１５０ｋＨｚ以下の周波数について規格がない。
このため、一般的に長波帯の電磁波のノイズの対策が行われていないことから、それら機器の近傍では、標準時刻電波信号の受信環境が悪い。
【０００８】
また、たとえば車載用の電波修正時計では、車の電子装置から発生するノイズ、たとえばイグニッションノイズ等の影響で、標準電波信号を適切に受信することができない場合がある。
【０００９】
本発明は、かかる事情に鑑みてなされたものであり、その目的は、比較的短い時間で、しかもノイズ等の影響を受けやすい標準時刻電波信号の受信環境にかかわりなく確実に自動時刻修正を行うことができる自動修正時計を提供することにある。
【課題を解決するための手段】
【００１０】
上記目的を達成するために、本発明の自動修正時計は、内部時計と、少なくとも上記内部時計を駆動するための内部電源と、少なくとも所定時刻に時刻情報を含む放送電波を受信可能なアンテナ部と、上記内部電源または外部電源による電力供給を受けて、上記アンテナ部で受信した放送電波に基づいて時報情報を抽出する放送電波受信手段と、外部電源が非接続時には上記内部電源による電力を供給し、外部電源が接続されると、上記内部電源による電力供給に代えて外部電源の電力供給を可能とする電源切替部と、上記外部電源による電力供給を受けて、時刻表示が可能な時刻表示手段と、上記放送電波受信手段で抽出した時報情報に基づいて上記内部時計が計時する時刻情報を修正し、電力供給が上記内部電源から上記外部電源の電力供給に切り替わると、上記内部時計が計時する時刻情報を上記時刻表示手段に表示させる制御手段とを有する。
【００１１】
好適には、上記時刻表示手段は、指針により時刻表示が可能である。
【００１２】
好適には、上記放送電波は、時報情報として、少なくとも毎正時に同期した予め設定された周波数の正時信号を含み、上記放送電波受信手段は、上記放送電波を基に上記周波数の正時信号を抽出するフィルタ手段を含み、上記制御手段は、上記フィルタ手段が抽出した正時信号を基に上記内部時計が計時する時刻情報を修正する。
【００１３】
好適には、上記制御手段は、上記フィルタ手段が抽出した正時信号を基に上記内部時計が計時する時刻情報の誤差を修正し、当該誤差情報に基づいて上記時刻表示手段の針合わせを行う。
【００１４】
好適には、上記アンテナ部は、標準時刻電波信号を受信可能で、上記アンテナ部で受信した標準時刻電波信号に基づいて標準時刻信号を生成する標準電波受信手段、をさらに有し、上記制御手段は、初期時に上記標準電波受信手段が生成した標準時刻信号に基づいて上記内部時計が計時する時刻情報を修正する。
【００１５】
好適には、上記アンテナ部は、上記標準時刻電波信号および上記放送電波を受信可能なフェライトバーアンテナを含み、上記標準電波受信手段は、上記フェライトバーアンテナで受信した標準時刻電波信号に基づいて標準時刻信号を生成し、上記放送電波受信手段は、上記フェライトバーアンテナで受信した放送電波を基に時報情報を抽出する。
【発明の効果】
【００１６】
本発明によれば、比較的短い時間で、しかもノイズ等の影響を受けやすい標準時刻電波信号の受信環境にかかわりなく確実に自動時刻修正を行うことができる。
【発明を実施するための最良の形態】
【００１７】
以下、本発明に係る自動修正時計の実施形態を図面に関連付けて詳細に説明する。
【００１８】
本実施形態に係る自動修正時計は、たとえば、毎正時付近に時報情報を含むラジオ放送等の放送電波を受信し、受信した放送電波の時報情報に基づいて内部時計が計時する時刻情報を修正し、電力供給が内部電源から外部電源の電力供給に切り替わると、内部時計が計時する時刻情報を指針によるアナログ時刻表示を行う。
【００１９】
具体的には、内部時計で初期時刻情報に基づき計時を行いながら、かつ、ラジオ等の放送電波を受信して、内部時計の計時情報を更新する。
また、内部時計駆動専用の内部電池（内部電源）を内蔵し、外部電源から電力が供給されたときのみ時刻表示を行う。
このとき組み合わされるアナログのムーブメントは、標準時刻信号を含む標準電波（標準時刻電波信号ともいう）を受信し、標準時刻電波信号に基づいて時刻修正を行う電波修正時計に使われている指針位置検出機能を有するムーブメントである。したがって、本実施形態に係る自動修正時計も、放送電波に基づく時刻修正機能に合わせて、標準時刻電波信号に基づく時刻修正機能を有する。
また、初期位置は、たとえば生産工程の中で針合わせされ、放送電波の時報情報と同期した状態で外部電池（外部電源）を外され出荷される。
そして、ユーザが外部電池をセットすると、指針位置の原点検索を行い、内部時計の情報に基づく指針位置へ自動設定する。この状態で放送電波の正時信号を受信すると、内部時計に発生していた誤差を修正し、この誤差情報に基づく針合わせを行う。
【００２０】
本実施形態では放送電波として、たとえば時報情報を含むＡＭラジオ放送電波を用いる。ＡＭラジオ放送に含まれる時報情報を採用する利点は、何点かある。
１．全国に複数の送信局が設置されている。
２．ＡＭラジオ放送電波の送信出力は、標準電波送信局の送信出力よりも大きい。
【００２１】
たとえばＡＭラジオ放送局は、都市部近郊から比較的大きな送信出力でＡＭラジオ放送を行っている。
たとえば札幌、東京、大阪、福岡等の都市部近郊には、表１に示すようにＡＭラジオ放送局が設置されている。札幌市、東京都、大阪府、福岡市等の都市部から５０ｋｍ以内にラジオ放送局が設けられている。
たとえば埼玉県南埼玉郡菖蒲町から東京ＮＨＫ第１放送、周波数５９４ｋＨｚ、送信出力３００ｋＷでＡＭラジオ放送電波が出力されている。大阪府南河内郡美原町丹上から大阪ＮＨＫ第１放送、周波数６６６ｋＨｚ、送信出力１００ｋＷでＡＭラジオ放送電波が出力されている。
【００２２】
【表１】
2005189084.tif 000003
【００２３】
３．ラジオ放送が行われている周波数帯のノイズに関する規格が規定されている。
多くの家庭電化製品等の電子装置は、この規格を満たすように設計されているために、それらの電子装置から出力されるノイズ強度が小さい。このためにＡＭラジオ放送の受信環境がよい。
【００２４】
また、ＡＭラジオ放送電波は中波放送帯で５２５ｋＨｚから１６０５ｋＨｚであり、標準電波は数１０ｋＨｚであり、同一のフェライトバーアンテナを用いてそれぞれの電波を受信することができ、アンテナを共通化できる。また変調方式もＡＭ変調で同じであるので、ＡＭラジオ放送と、標準時刻電波信号の復調部を、一部共通化することができる。
以下、図面を参照しながら詳細に、本実施形態に係る自動修正時計について説明する。
【００２５】
図１は、本発明に係る自動修正時計の一実施形態を示すシステム構成図である。図２は、図１の自動修正時計における電波受信系の具体的な構成例を示す回路図である。図３は、図１の自動修正の輪列部を含む平面図で、図４は、図３の自動修正時計の断面図である。
【００２６】
本実施形態に係る電波修正時計１は、図１，２に示すように、電波受信系１１、時刻修正スイッチ１２、発振回路１３、制御回路１４、ドライブ回路１５、発光素子１６、バッファ回路１７、ドライブ回路１８、電源切替部１９、内部電池２０、外部電池セット部２１、ディスプレイ３０、時計本体１００、秒針用モータ１２１、時分針用モータ１３１、光検出センサ部１４０、手動修正系１５０、ｐｎｐ型トランジスタＱ１，Ｑ２、および抵抗素子Ｒ１〜Ｒ４を有する。
制御回路１４は本発明に係る制御手段に相当する。
【００２７】
本実施形態ではアナログ式の指針による時刻表示を行うために表示部ＤＳＰＬが、ドライブ回路１５、発光素子１６、バッファ回路１７、ドライブ回路１８、ディスプレイ３０、秒針用モータ１２１、時分針用モータ１３１、光検出センサ部１４０、手動修正系１５０、トランジスタＱ１，Ｑ２、および抵抗素子Ｒ１〜Ｒ４により構成される。また、このアナログ表示部に加えて、ＬＣＤ等のデジタル式の時刻表示装置を設けてもよい。
【００２８】
電波受信系１１は、たとえば不図示の標準電波送信所から送信された標準時刻情報（時刻コードとも言う）を含む標準電波（標準時刻電波信号とも言う）を受信し、所定の処理を行い信号Ｓ１１３０として制御回路１４に出力する。
また、電波受信系１１は、たとえばＡＭラジオ放送局から送信された時報情報を含むラジオ放送電波を受信し、このラジオ放送電波に対して所定の処理を行い信号Ｓ１１６０として制御回路１４に出力する。
【００２９】
電波受信系１１は、具体的には、図２に示すように、フェライトバーアンテナ１１１０、標準電波周波数切替部１１２０、標準電波受信回路１１３０、ラジオ放送周波数切替部１１４０、ＡＭラジオ受信回路１１５０、およびフィルタ１１６０を有する。
フェライトバーアンテナ１１１０は、標準時刻電波信号およびＡＭラジオ放送電波を受信する。前述したように、標準時刻電波信号およびＡＭラジオ放送電波は波長が長く、フェライトバーアンテナ１１１０により受信可能である。
【００３０】
フェライトバーアンテナ１１１０は、フェライトバー１１１１、コイルＬ１１１１、およびコイルＬ１１１２を有する。
本実施形態では、たとえば図２に示すように、フェライトバー１１１１の両端にコイルＬ１１１１、およびコイルＬ１１１２が設けられている。
【００３１】
標準電波周波数切替部１１２０は、たとえば制御回路１４から出力された標準電波の受信周波数、本実施形態ではたとえば４０ｋＨｚと６０ｋＨｚを切り替えさせる制御信号ＣＴＬ１１２３に基づいて標準電波の受信周波数を切り替える。
詳細には、たとえば標準電波周波数切替部１１２０は、キャパシタ１１２１、キャパシタ１１２２、およびスイッチ１１２３を有する。
直列接続されたキャパシタ１１２２およびスイッチ１１２３は、キャパシタ１１２１とフェライトバーアンテナ１１１０に巻きつけられたコイル部Ｌ１１１１とに並列に接続されている。
また、キャパシタ１１２１の一端、コイル部Ｌ１１１１の一端、スイッチ１１２３の端子Ｔｂは接地電位（基準電位）ＧＮＤに接続されている。スイッチ１１２３の端子Ｔａにはキャパシタ１１２２の一端が接続されている。
キャパシタ１１２１の他端、コイル部Ｌ１１１１の他端、キャパシタ１１２２の他端は共通に接続され、また長波受信回路１１３０の入力端に接続されている。
【００３２】
スイッチ１１２３は、制御信号ＣＴＬ１１２３に基づいて端子Ｔａと端子Ｔｂを導通または非導通状態に設定する。
詳細にはたとえば、６０ｋＨｚの標準時刻電波信号を受信する場合には、制御回路１４から端子Ｔａと端子Ｔｂを非導通状態に設定させる制御信号ＣＴＬ１１２３が出力される。これにより、スイッチ１１２３は、端子Ｔａと端子Ｔｂを非導通状態に設定することにより、キャパシタ１１２２を除いたコイル部Ｌ１１１１およびキャパシタ１１２１により共振回路を形成させ、共振周波数を６０ｋＨｚに設定する。
【００３３】
一方、４０ｋＨｚの標準時刻電波信号を受信する場合には、制御回路１４から端子Ｔａと端子Ｔｂを導通状態に設定させる制御信号ＣＴＬ１１２３が出力される。これにより、スイッチ１１２３は、端子Ｔａと端子Ｔｂを導通状態に設定することにより、キャパシタ１１２１、キャパシタ１１２２、およびコイル部１１１１とが並列接続した共振回路を形成させ、たとえば共振周波数を６０ｋＨｚより低い４０ｋＨｚに設定する。
【００３４】
長波受信回路１１３０は、たとえばフェライトバーアンテナ１１１０および標準電波周波数切替部１１２０を介して入力された標準時刻電波信号Ｓ１１２０のデコードを行い、標準時刻信号を信号Ｓ１１３０として制御回路１４に出力する。
詳細には、長波受信回路１１３０は、たとえば不図示のＲＦアンプ、検波回路、波形整形回路を有し、増幅処理、検波処理、波形整形処理等を行い、処理結果の標準時刻信号を信号Ｓ１１３０として出力する。制御回路１４は標準時刻信号に基づいて時刻修正を行う。
【００３５】
また、たとえば長波受信回路１１３０は、制御回路１４から出力される制御信号ＣＴＬ１１３０に基づいて、標準時刻電波信号の受信オン状態または受信オフ状態を制御する。
【００３６】
なお、日本の標準電波は独立行政法人通信総合研究所（ＣＲＬ）のもとで運用されており、周波数４０ｋＨｚの標準電波を送信する標準電波送信所および周波数６０ｋＨｚの標準電波を送信する標準電波送信所が設けられている。
電波受信系１１で受信される標準電波は、図５（ａ）に示すような形態で送られてくる。
【００３７】
具体的には、時刻コードは１，０，Ｐの３種類の信号パターンからなり、１秒（ｓｅｃ）の１信号パターン中の１００％振幅期間幅によって区別され、１，０，Ｐはそれぞれ５００ｍｓ，８００ｍｓ，２００ｍｓとなっている。変調方式は、最大値１００％，最小値１０％の振幅変調である。
【００３８】
そして、受信状態が良好な場合には、電波受信系１１からは図５（ｂ）に示すように、標準電波信号に応じたパルス信号である信号Ｓ１１３０が、制御回路１４に出力される。
【００３９】
この信号Ｓ１１３０は、たとえば第１のレベルに相当するハイレベルと、第２のレベルに相当するローレベルにより構成されている。制御回路１４は、ハイレベル、およびローレベル、ならびに、ハイレベルからローレベルへの立下りエッジｅｄ１、およびローレベルからハイレベルへの立上がりエッジｅｄ２に基づいて受信状態の評価処理を行う。エッジｅｄ１およびエッジｅｄ２を区別しない場合には、単にエッジｅｄという。
【００４０】
次に、長波標準電波の送信データについて説明する。
図６は、標準時刻電波信号の時刻コードの一例を示している。図６（ａ）は毎時１５，４５分以外のフォーマット、図６（ｂ）は、毎時１５分，４５分のフォーマットを示す。  送信情報は、分・時・１月１日からの積算日となっている。
時刻データの送信は、１ｂｉｔ／秒で１分間を１フレームとしており、このフレーム内に前述した分・時・１月１日からの積算日の情報がＢＣＤコードで提供されている。また送信されるデータは、０・１の他にＰコードというマーカーが含まれており、このＰコードは、１フレームに数カ所あり、正分（０秒）、９秒、１９秒、２９秒、３９秒、４９秒、５９秒に現れる。このＰコードが続けて現れるのは１フレーム中１回で５９秒、０秒の時だけで、この続けて現れる位置が正分位置となる。つまり分・時データ等の時刻データはこの正分位置を基準としてフレーム中の位置が決まっているためこの正分位置の検出を行わないと時刻データを取り出すことはできない。
【００４１】
ラジオ放送周波数切替部１１４０は、たとえば制御回路１４から出力されたラジオ放送電波の受信周波数、本実施形態ではたとえば東京ＮＨＫ第１放送ＪＯＡＫの５９４ｋＨｚと、大阪ＮＨＫ第１放送ＪＯＢＫの６６６ｋＨｚを切り替えさせる制御信号ＣＴＬ１１４３に基づいてラジオ放送電波の受信周波数を切り替える。
ラジオ放送周波数切替部１１４０は、具体的にはたとえばキャパシタ１１４１、キャパシタ１１４２、およびスイッチ１１４３を有する。
直列接続されたキャパシタ１１４２およびスイッチ１１４３は、キャパシタ１１４１とフェライトバーアンテナ１１１０に巻きつけられたコイル部Ｌ１１１２とに並列に接続されている。
また、キャパシタ１１４１の一端、コイル部Ｌ１１１２の一端、キャパシタ１１４２の一端は、基準電位ＧＮＤに接続されている。キャパシタ１１４２の他端は端子Ｔｃに接続されている。
キャパシタ１１４１の他端、コイル部Ｌ１１１２の他端、端子Ｔｄは共通に接続され、またＡＭラジオ受信回路１１５０の入力端に接続されている。
【００４２】
スイッチ１１４３は、制御信号ＣＴＬ１１４３に基づいて端子Ｔｃと端子Ｔｄを導通状態または非導通状態に設定する。
詳細には大阪ＮＨＫ第１放送ＪＯＢＫのラジオ放送電波を受信する場合には、制御回路１４から端子Ｔｃと端子Ｔｄを非導通状態に設定させる制御信号ＣＴＬ１１４３が出力される。これにより、スイッチ１１４３は、キャパシタ１１２２とコイル部Ｌ１１１２を非導通状態に設定することにより、たとえばコイル部Ｌ１１１２とキャパシタ１１４１により共振回路を形成させ、共振周波数を６６６ｋＨｚに設定する。
【００４３】
一方、たとえば東京ＮＨＫ第１放送ＪＯＡＫのラジオ放送電波を受信する場合には、制御回路１４から端子Ｔｃと端子Ｔｄを導通状態に設定させる制御信号ＣＴＬ１１４３が出力される。これにより、スイッチ１１４３は、端子Ｔｃと端子Ｔｄを導通状態に設定することにより、キャパシタ１１４１、キャパシタ１１４２、およびコイル部Ｌ１１１２とが並列接続した共振回路を形成させ、共振周波数を６６６ｋＨｚより低い５９４ｋＨｚに設定する。
【００４４】
ＡＭラジオ受信回路１１５０は、たとえばフェライトバーアンテナ１１１０およびラジオ放送周波数切替部１１４０を介して入力されたラジオ放送電波を復調し、ＡＭラジオ放送電波に含まれる時報情報を抽出し、信号Ｓ１１５０としてフィルタ１１６０に出力する。
また、ＡＭラジオ受信回路１１５０は、たとえば制御回路１４から出力されたラジオ放送の受信オン状態また受信オフ状態を制御させる制御信号ＣＴＬ１１５０に基づいて、ラジオ放送電波の復調等の受信動作の受信オン状態また受信オフ状態を制御する。
【００４５】
図７は、図２に示したＡＭラジオ受信回路の一具体例を示す機能ブロック図である。
このＡＭラジオ受信回路１１５０は、図７に示すように、アンプ１１５１、水晶フィルタ部１１５２、および検波回路１１５３を有する。
アンプ１１５１は、たとえばフェライトバーアンテナ１１１０およびラジオ放送周波数切替部１１４０から出力された信号Ｓ１１４０を増幅して信号Ｓ１１５１として水晶フィルタ部１１５２に出力する。
【００４６】
図８は、一般的なＡＭラジオ放送電波に毎正時付近に含まれる時報情報の一具体例を示す図である。
たとえば、ラジオ放送局から送信されるＡＭラジオ放送電波には、毎正時（００分００秒）付近に図８に示すような時報情報が含まれている。
詳細には、たとえば５７秒，５８秒，５９秒に周波数４４０Ｈｚのパルス信号ｐがＡＭ変調され、毎正時（００分００秒）には予め設定された周波数、たとえば８８０Ｈｚの正時信号（減衰信号）ｄがＡＭ変調されている。たとえばパルス信号ｐおよび減衰信号ｄの立ち上がり時間Ｔ５７，Ｔ５８，Ｔ５９，Ｔ００それぞれが、秒同期している。
【００４７】
図９は、図８に示した毎正時付近に時報情報を含むＡＭラジオ放送電波の周波数スペクトラムを説明するための図である。
時報情報を含むＡＭラジオ放送電波は、図８に示したパルス信号ｐおよび減衰信号ｄを含む場合には、たとえば図９に示すように、搬送波ｆ０を中心に、周波数（ｆ０＋ｆ１）および周波数（ｆ０ーｆ１）に線形状の周波数スペクトラムを有する。
【００４８】
フィルタ部１１５２は、放送電波を基に所定の周波数の正時信号を抽出する。本実施形態ではフィルタ部１１５２として水晶フィルタを用いた例を示す。
詳細には、水晶フィルタ部１１５２は、たとえば図７に示すように、第１水晶フィルタ１１５２１および第２水晶フィルタ１１５２２を有する。
水晶フィルタ部１１５２は、たとえば図９に示すように、アンプ１１５１から出力された信号Ｓ１１５１に基づいて、周波数（ｆ０＋ｆ１）または周波数（ｆ０ーｆ１）成分のみの信号Ｓ１１５２を出力する。
【００４９】
具体的には、東京と大阪のＮＨＫ第１放送の時報の下周波数で８８０Ｈｚを検出する場合には、水晶フィルタ部１１６には、第１水晶フィルタ１１５２１として５９３．１２０ｋＨｚ、第２水晶フィルタ部１１５２２として６６５．１２０ｋＨｚのみを通過させるフィルタを設ける。
【００５０】
検波回路１１５３は、水晶フィルタ部１１５２から出力された信号Ｓ１１５２を基に、周波数４４０Ｈｚまた周波数８８０Ｈｚの信号をＡＭ検波して信号Ｓ１１５３を出力する。検波回路１１５３のＡＭ検波は一般的に用いられる検波方式、たとえば２乗検波、包絡線検波、ヘテロダイン検波等により検波を行う。
【００５１】
フィルタ部１１６０は、検波回路１１５３から出力された信号Ｓ１１５０を基に時報情報のみを抽出し、信号Ｓ１１６０として制御回路１４に出力する。
【００５２】
時刻修正スイッチ１２は、たとえば、時刻修正を行う際に操作され、操作に応じて信号Ｓ１２を制御回路１４に出力する。制御回路１４は、時刻修正スイッチ１２から信号Ｓ１２が入力されると時刻修正を行う。
【００５３】
発振回路１３は、水晶発振器ＣＲＹおよびキャパシタＣ２，Ｃ３により構成され、所定周波数の基本クロックを制御回路１４に供給する。
【００５４】
制御回路１４は、内部時計１４０１、およびメモリ１４０２を有する。
内部時計１４０１は、たとえば年情報カウンタ、月情報カウンタ、日情報カウンタ、曜情報カウンタ、時情報を計時する時カウンタ、分情報を計時する分カウンタ、および秒情報を計時する秒カウンタ等を含む。
【００５５】
メモリ１４０２は、たとえば、制御回路１４のワークエリアとして用いられる。たとえば、メモリ１４０２はＲＡＭ（Random access memory）等で構成される。
【００５６】
制御回路１４は、初期時、たとえば出荷前に、外部電池セット部２１に外部電池をセットして初期時刻情報を得る場合に、標準時刻電波信号を受信して、内部時計１４０１が計時する時間情報である年情報、月情報、日情報、曜日情報、時情報、分情報、および秒情報を修正し、内部時計１４０１が計時する時刻情報を基に、後述するように表示時刻の修正を行う。
この場合、制御回路１４は、たとえば標準時刻電波信号の受信周波数を切り替えさせる制御信号ＣＴＬ１１２３を出力して、標準電波周波数切替部１１２０に受信周波数を４０ｋＨｚまたは６０ｋＨｚに切り替えさせて、受信状態の良いほうの標準時刻電波信号を受信する。
【００５７】
また、制御回路１４は、内部時計１４０１が計時する標準時刻情報（時刻情報ともいう）に基づいて、予め設定された時刻（設定時刻）に時刻修正動作を行う。この際、制御回路１４は、設定時刻になるとＡＭラジオ受信回路１１５０に放送電波を受信させ、抽出された時報情報を基に時刻修正を行う。
制御回路１４は、正確な初期時刻情報を得た後、出荷時に外部電池セット部２１から外部電位セット部２１から外部電池が外されると、運針制御を停止し、電源切替部１９により内部電池２０の電力を受けて内部時計１４０１を計時し、かつ、所定の時間間隔でラジオ放送電波の時報情報を受信させて、抽出された時報情報を基に時刻修正を行い、内部時刻の精度を確保する。
そして、ユーザが外部電池をセット（再セット）すると、指針位置の原点検索を行い、内部時計の情報に基づく指針位置へ自動設定する。この状態でラジオ放送電波の正時信号を受信すると、内部時計に発生していた誤差を修正し、この誤差情報に基づく針合わせを行う。
なお、制御回路１４は、ラジオ放送電波を受信できない場合には、内蔵している水晶振動子の精度（およそ±２０秒／月の誤差）に内部時刻の精度を保持する。
【００５８】
制御回路１４は、ＡＭラジオ放送電波を受信する際に、受信タイミング制御を行う。
詳細には、制御回路１４は、受信タイミング制御として、たとえば内部時計１４０１が計時する時刻情報を基に毎正時を含む所定時間、たとえば毎正時の数１０秒前からＡＭラジオ放送電波を受信させる制御信号ＣＴＬ１１５０をＡＭラジオ受信回路１１５０に出力する。
通常、水晶時計は月差数２０秒程度の精度なので、上述したようにラジオ放送電波の受信を開始すれば確実に時報情報を受信することができる。
【００５９】
また、制御回路１４は、受信状態の良いほうのＡＭラジオ放送電波を受信させるように制御信号ＣＴＬ１１４３を出力して、ＡＭラジオ放送電波の受信周波数を設定する。
【００６０】
制御回路１４は、信号Ｓ１１６０を基に、たとえば周波数８８０Ｈｚの立ち上がりを検出し、その立ち上がり時間を毎正時（００分００秒）とする。この際、内部時計１４０１では標準時刻電波信号に基づいて時刻情報として年情報、月情報、日情報、時情報、分情報、秒情報が計時されており、制御回路１４は時報情報を基に秒情報を修正する。
【００６１】
本実施形態においては、標準時刻電波信号の受信は、第１回目に外部電池セット部２１に外部電池がセットされる初期状態のみに受信して内部時計１４０１に初期時刻情報をセットした後は、ラジオ放送電波を受信して内部時計１４０１の時刻修正および内部時計１４０１の時刻情報に基づく指針位置調整（針合わせ）を行うように構成している。    
【００６２】
ただし、たとえば制御回路１４が、上述したように制御信号ＣＴＬ１１５０をＡＭラジオ受信回路１１５０に出力して、内部時計１４０１が計時する時刻情報を基に毎正時を含む所定時間、たとえば毎正時の数１０秒前からＡＭラジオ放送電波を受信させるとともに、数日、あるいは数カ月に１度、標準時刻電波信号を比較的受信しやすい時間帯、たとえば午前２時４０分等に、標準時刻電波信号を受信して、内部時計１４０１の時刻を修正するように構成することも可能である。
【００６３】
また、たとえば制御回路１４が、標準時刻電波信号の受信状態に応じて、長波受信回路１１３０が標準時刻電波信号を基に生成した標準時刻信号、または、ＡＭラジオ受信回路１１５０が抽出した時報情報を基に時刻修正を行うように構成することも可能である。
この場合、たとえば制御回路１４は、設定時刻に標準時刻電波信号の受信状態が良好でない場合には、内部時計１４０１が計時する時刻情報に基づいて、ＡＭラジオ受信回路１１５０に時報情報を含むＡＭラジオ放送電波を受信させて時報情報を抽出させ、その時報情報を基に内部時計１４０１の時刻情報、詳細には秒情報を修正する。
【００６４】
制御回路１４は、標準時刻電波信号の受信状態が良好であると判別した場合には、フェライトバーアンテナ１１１０を介して長波受信回路１１３０が受信した標準時刻電波信号を基に、内部時計１４０１が計時する時刻情報を修正し、内部時計１４０１が計時する時刻情報を基に、秒針駆動系１２０および時分針駆動系１３０を駆動して、指針による表示時刻を修正する。
【００６５】
以下、より詳細に制御回路１４の機能を説明する。制御回路１４は、たとえば初期状態、外部電池セット時、および時刻修正スイッチ１２が操作された場合には、指針車の原点検出処理を行い、内部時計１４０１で計時される時刻情報に応じた駆動信号ＣＴＬ１およびＣＴＬ２を出力して、指針による時刻表示を行う。
制御回路１４は、指針の位置検出処理は、時分針車および秒針車の位相合わせ処理、秒針の原点検索処理、時分針の原点検索処理を行い、各指針車の位置を検出した後、所定時刻に指針を設定する。
【００６６】
位相合わせ処理は、たとえば、時分針車に設けられた透光部と、秒針車に設けられた透光部とを、発光素子１４２から出力された光が貫通するような位置にまで、時分針車および秒針車を駆動する。
秒針の原点検索処理は、発光素子１４２から出力された光が、秒針車に設けられた遮光部および透光部により、受光素子１４４に受光される、光のオンオフパターンに基づいて原点が検索される。
時分針の原点検索処理は、後述するように、発光素子１４２から出力された光が、時分針車に設けられた遮光部および透光部により、受光素子１４４に受光される、光のオンオフパターンに基づいて位置が検索される。
【００６７】
電源切替部１９は、外部電池セット部２１に外部電池がセットされていない場合には、内部電源としての内部電池２０による電力をアナログ表示部ＤＳＰＬを除く、制御回路１４等に供給し、外部電池セット部２１の外部電源としての外部電池がセットされると、内部電池２０による電力の供給に代えて、外部電池による電力を、アナログ表示部ＤＳＰＬを含む各部に供給する。
【００６８】
次に、自動修正時計のムーブメントおよび指針位置検出系の具体的な構成について、図３、図４、図１０〜図１９に関連付けて説明する。
時計本体１００は、図３および図４に示すように、互いに対向して接続されて輪郭を形成する下ケース１１１、上ケース１１２、ならびに、下ケース１１１および上ケース１１２で形成される空間内において下ケース１１１と連結した状態で配置される中板１１３を有する。
【００６９】
時計本体１００は、互いに対向して接続されて輪郭を形成する第２ケースとしての下ケース１１１および第１ケースとしての上ケース１１２と、この下ケース１１１および上ケース１１２で形成される空間内のほぼ中央部において下ケース１１１と連結した状態で配置される中板１１３とを備えており、空間内の下ケース１１１、中板１１３、上ケース１１２の所定の位置に対して、第１駆動系（秒針駆動系）１２０、第２駆動系（時分針駆動系）１３０、光検出センサ１４０、手動修正系１５０等が固定あるいは軸支されている。
【００７０】
秒針駆動系１２０および時分針駆動系１３０が本発明に係る時刻表示手段に相当する。
【００７１】
第１駆動系１２０は、図３に示すように、略コ字状のステータ１２１ａ、このステータ１２１ａの一方側の脚片に巻回された駆動コイル１２１ｂ、このステータ１２１ａの他方の磁極間において回動自在に配置されたロータ１２１ｃにより構成された秒針用ステッピングモータ１２１と、ロータ１２１ｃのピニオン１２１ｄに大径歯車１２２ａが噛合した第１伝達歯車（第１検出用歯車）としての第１の５番車１２２と、この第１の５番車１２２の小型歯車１２２ｂに噛合した第２検出用歯車（第１指針車）としての秒針車１２３とにより構成されている。
ここで、秒針用ステッピングモータ１２１は、ステータ１２１ａが中板１１３に載置して固定され、ロータ１２１ｃが中板１１３と上ケース１１２とに軸支されており、制御回路１４の出力制御信号ＣＴＬ１に基づいて、その回転方向、回転角度、および回転速度が制御される。
【００７２】
第１の５番車１２２は、大径歯車１２２ａの歯数が６０個、小径歯車１２２ｂの歯数が１５個に形成され、中板１１３および上ケース１１２に回動自在に軸支され、その大径歯車１２２ａが秒針用ステッピングモータ１２１のロータ１２１ｃ（ピニオン１２１ｄ）と噛合して、ロータ１２１ｃの回転速度を所定速度に減速させる。この第１の５番車１２２には、図１０に示すように、秒針車１２３と重なる領域において周方向に等間隔（中心角α１が１２０°）で配置された３個の円形状をなす透孔１２２ｃが形成されている。この透孔１２２ｃは、光検出センサ１４０の検出光を通過させるだけでなく、少なくともその１つは、第１の５番車１２２を組付ける際の位置決め孔（度決め孔）として用いられるものである。
【００７３】
秒針車１２３は、大径歯車１２３ａの歯数が６０個に形成され、その軸部の一端が上ケース１１２に軸支され、中板１１３を下ケース１１１側に貫通したその他端側には秒針軸１２３ｂが圧入されており、この秒針軸１２３ｂは、後述する分針パイプ１３４ｐの内側に挿通されて、その先端に秒針が取り付けられている。この秒針車１２３には、図１３に示すように、回転により第１の５番車１２２と重なる領域において周方向に等間隔（中心角α２が３０°）で配置された１１個の円形状をなす透孔１２３ｃと、一箇所だけピッチの異なる位置決め遮光部１２３ｄ（透孔１２３ｃと透孔１２３ｃとの中心角が６０°）とが形成されている。そして、上記第１の５番車１２２の透孔１２２ｃが位置決め遮光部１２３ｄに対向した後に最初に透孔１２３ｃと対向する時に、秒針が正時を指すように構成されている。
【００７４】
透孔１２３ｃは、光検出センサ１４０の検出光を通過させるだけでなく、少なくともその１つは、秒針車１２３を組付ける際の位置決め孔（度決め孔）として用いられるものである。
また、これらの透孔１２３ｃの内側には、周方向に長尺で回転軸方向に突出する円弧状の付勢ばね１２３ｅが、切り欠き孔１２３ｆにより画定されている。この円弧状付勢ばね１２３ｅは、秒針車１２３をその回転軸方向に付勢するものである。
【００７５】
ここで、位置決め遮光部１２３ｄは、周方向において切り欠き孔１２３ｆから離れた位置、すなわち、２つの切り欠き孔１２３ｆが途切れて離れた領域に形成されている。したがって、切り欠き孔１２３ｆと位置決め遮光部１２３ｄとの距離を十分確保できるため、位置決め遮光部１２３ｄの領域において検出光が切り欠き孔１２３ｆに回り込むようなことはなく、確実にこの位置決め遮光部１２３ｄで検出光を遮ることができる。すなわち、検出光の回り込みによる誤検出を生じ易い切り欠き孔１２３ｆを設けた領域から離れた位置に位置決め遮光部１２３ｄが形成されていることから、この位置決め遮光部１２３ｄを秒針車１２２の回転角度位置の位置決めに用いることで、確実な位置決めを行うことができる。
【００７６】
秒針車１２３においては、図１３に示すように、複数（１１個）の透孔１２３ｃを設ける代わりに、図１４に示すように、位置決め遮光部１２３ｄと径方向において対向する位置にある透孔１２３ｃのみを残して、その他の透孔１２３ｃをそれぞれ切り欠き孔１２３ｇと一体的に開けてもよい。これによれば、検出光の通過を許容する部分において、検出光の通過をより一層確実なものとし、また、秒針車１２３を形成する材料の無駄を低減することができる。
【００７７】
第２駆動系１３０は、図３、図４、および図１１に示すように、略コ字状のステータ１３１ａ、このステータ１３１ａの一方側の脚片に巻回された駆動コイル１３１ｂ、このステータ１３１ａの他方の磁極間において回動自在に配置されたロータ１３１ｃにより構成された時分針用ステッピングモータ１３１とロータ１３１ｃのピニオン１３１ｄに大径歯車１３２ａが噛合した中間歯車としての第２の５番車１３２と、この第２の５番車１３２の小径歯車１３２ｂに大径歯車１３３ａが噛合した第２伝達歯車（第３検出用歯車）としての３番車１３３と、この３番車１３３の小径歯車１３３ｂに大径歯車１３４ａが噛合した第４検出用歯車（第２指針車）としての分針車１３４と、この分針車１３４の小径歯車１３４ｂに大径歯車１３５ａが噛合した中間歯車としての日の裏車１３５と、この日の裏車１３５の小径歯車１３５ｂに噛合した第５検出用歯車（第２指針車）としての時針車１３６とにより構成されている。
ここで、時分針用ステッピングモータ１３１は、ステータ１３１ａが中板１１３に載置して固定され、ロータ１３１ｃが中板１１３と上ケース１１２とに軸支されており、制御回路１４の出力制御信号に基づいて、その回転方向、回転角度、および回転速度が制御される。
【００７８】
第２の５番車１３２は、大径歯車１３２ａの歯数が６０個、小径歯車１３２ｂの歯数が１５個に形成され、中板１１３および上ケース１１２に軸支され、その大径歯車１３２ａが時分針用ステッピングモータ１３１のロータ１３１ｃ（ピニオン１３１ｄ）と噛合して、ロータ１３１ｃの回転速度を所定速度に減速させる。なお、この第２の５番車１３２としては、前述の第１の５番車１２２を流用、すなわち、透孔１２２ｃが設けられたものを用いてもよい。これにより、部品の共用化が行え製品のコストを低減することができる。
【００７９】
３番車１３３は、大径歯車１３３ａの歯数が６０個、小径歯車１３３ｂの歯数が１０個に形成され、軸部の一端が上ケース１１２に軸支され、他端側が中板１１３を貫通した状態で回動自在に配設されており、第２の５番車１３２の回転を減速して分針車１３４に伝達する。また、３番車１３３には、図１５に示すように、回転により秒針車１２３および第１の５番車１２２と重なる領域において周方向に等間隔（中心角α３が３６°）で配置された１０個の円形状をなす透孔１３３ｃが形成されている。この透孔１３３ｃは、光検出センサ１４０の検出光を通過させるだけでなく、少なくともその１つは、３番車１３３を組付ける際の位置決め孔（度決め孔）として用いられるものである。
【００８０】
分針車１３４は、大径歯車１３４ａの歯数が６０個、小径歯車１３４ｂの歯数が１４個に形成され、その中央部には小径歯車１３４ｂが一体的に形成された分針パイプ１３４ｐが、側面視にて略Ｔ字形状をなすように形成されている。そして、分針パイプ１３４ｐの一端部が中板１１３に回動自在に軸支され、他端側の軸部は後述する時針車１３６の時針パイプ１３６ｐの内部に回動自在に挿通されている。また、分針パイプ１３４ｐは、下ケース１１１を貫通して時計の文字盤側に突出しており、その先端には分針が取り付けられている。
【００８１】
また、分針車１３４には、図１６に示すように、回転により秒針車１２３，第１の５番車１２２，３番車１３３と重なる領域において周方向に長尺な３個の円弧状透孔１３４ｃ，１３４ｄ，１３４ｅが形成されている。これら円弧状透孔１３４ｃと円弧状透孔１３４ｄとは、中心角α５で３０°隔てて形成され、円弧状透孔１３４ｄと円弧状透孔１３４ｅとは、中心角α６で３０°隔てて形成され、また、円弧状透孔１３４ｅと円弧状透孔１３４ｃとは、中心角α７で６０°隔てて形成されている。すなわち、円弧状透孔１３４ｅと円弧状透孔１３４ｃとの間に、最も幅の広い遮光部Ａが形成され、円弧状透孔１３４ｃと円弧状透孔１３４ｄとの間および円弧状透孔１３４ｄと円弧状透孔１３４ｅとの間に、上記遮光部Ａよりも幅狭の遮光部Ｂが形成されている。
【００８２】
また、円弧状透孔１３４ｃは、一端側の円形部１３４ｃ１と、他端側から伸びる幅広円弧部１３４ｃ２と、両者を連結する幅狭円弧部１３４ｃ３とにより形成されている。この幅狭円弧部１３４ｃ３により画定される円形部１３４ｃ１は、検出光を通過させるだけでなく、分針車１３４を組み付ける際の位置決め孔（度決め孔）として用いられるものである。
【００８３】
時針車１３６は、大型歯車１３６ａの歯数が４０個に形成され、その中央部に円筒状の時針パイプ１３６ｐが一体的に取り付けられており、この時針パイプ１３６ｐの内部に前述の分針パイプ１３４ｐが挿通されている。そして、時針パイプ１３６ｐは、下ケース１１１に形成された軸受け孔１１１ａに挿通されて回動自在に軸支されており、また、その先端側は下ケース１１１を貫通して時計の文字盤側に突出しており、その先端には時針が取り付けられている。
【００８４】
また、時針車１３６には、図１７に示すように、回転により秒針車１２３，第１の５番車１２２，３番車１３３，分針車１３４と重なる領域において周方向に長尺な３個の円弧状透孔１３６ｃ，１３６ｄ，１３６ｅが形成されている。これら円弧状透孔１３６ｃと円弧状透孔１３６ｄとは、中心角α８で４５°隔てて形成され、円弧状透孔１３６ｄと円弧状透孔１３６ｅとは、中心角α９で６０°隔てて形成され、また、円弧状透孔１３６ｅと円弧状透孔１３６ｃとは、中心角α１０で３０°隔てて形成されており、更に、円弧状透孔１３６ｃ，１３６ｄ，１３６ｅの長さは、中心角β１＋β２，β３，β４がそれぞれ７５°，６０°，９０°となるように設定されている。すなわち、円弧状透孔１３６ｅと円弧状透孔１３６ｃとの間に、最も幅の狭い遮光部Ｃが形成され、円弧状透孔１３６ｃと円弧状透孔１３６ｄとの間に、遮光部Ｃよりも幅の広い遮光部Ｄが形成され、円弧状透孔１３６ｄと円弧状透孔１３６ｅとの間に、遮光部Ｄよりも幅の広い遮光部Ｅが形成されている。
【００８５】
また、円弧状透孔１３６ｃは、一端側から中心角β１で７．５°のところに位置する円形部１３６ｃ１と、他端側から伸びる幅広円弧部１３６ｃ２と、両者を連結すると共に円形部１３６ｃ１の両側に位置する幅狭円弧部１３６ｃ３とにより形成されている。この幅狭円弧部１３６ｃ３により画定される円形部１３６ｃ１は、検出光を通過させるだけでなく、時針車１３６を組み付ける際の位置決め孔（度決め孔）として用いられるものである。
【００８６】
日の裏車１３５は、大径歯車１３５ａの歯数が４２個、小径歯車１３５ｂの歯数が１０個に形成され、下ケース１１１に形成された突部１１１ｂに対して回動自在に軸支されており、大径歯車１３５ａが分針パイプ１３４ｐに形成された小径歯車１３４ｂに噛合し、また、小径歯車１３５ｂが時針車１３６（１３６ａ）に噛合して、分針車１３４の回転を減速して時針車１３６に伝達する。
【００８７】
光検出センサ１４０は、図４に示すように、上ケース１１２の壁面に固定された回路基板１４１に取付けられた発光ダイオードからなる発光素子１４２と、この発光素子１４２に対向するように、下ケース１１１の壁面に固定された回路基板１４３に取付けられたフォトトランジスタからなる受光素子１４４とにより形成されている。
そして、発光素子１４２のアノードは一端がｐｎｐトランジスタＱ２のコレクタに接続されたドライブ回路１８における抵抗素子Ｒ４の他端に接続され、カソードは、接地されると共に、受光素子１４４のエミッタに接続されている。
受光素子１４４のコレクタは、制御回路１４に接続されている。この制御回路１４との接続ラインは、検出信号ＤＴ１の制御回路１４への出力ラインとなっている。
ドライブ回路１８のトランジスタＱ２のエミッタは電源電圧Ｖccの供給ラインに接続され、ベースは抵抗素子Ｒ３を介してドライブ信号ＤＲ２の出力ラインに接続されている。  すなわち、発光素子１４２は、制御回路１４からローレベルのドライブ信号ＤＲ２が出力されたとき発光するようにドライブ回路１８に接続されている。
【００８８】
また、図４に示すように、平面視にて第１の５番車１２２、秒針車１２３、３番車１３３、分針車１３４、時針車１３６の全てが同時に重なる位置に配置されている。そして、第１の５番車１２２の透孔１２２ｃ、３番車１３３の透孔１３３ｃ、秒針車１２３の透孔１２３ｃ、分針車１３４の透孔１３４ｃ（１３４ｄ、１３４ｅ）、時針車１３６の透孔１３６ｃ（１３６ｄ、１３６ｅ）が重なり合った時に、発光素子１４２から発せられた検出光が受光素子１４４により受光されて、秒針、分針、時針が正時等の位置を指していることを出力するようになっている。
【００８９】
さらに、発光素子１４２は、上ケース１１２の外側に開口するように形成された第１配置部としての取付け凹部１１２ｃ内に配置されており、この取付け凹部１１２ｃの底面には、所定径の円形貫通孔１１２ｄが開けられている。この円形貫通孔１１２ｄは、発光素子１４２から発せられる検出光が末広がり状に広がる性質があるため、その広がった部分の光を遮断して収束された光のみを通過させて誤検出を防止できるようにするものである。
同様に、受光素子１４４は、下ケース１１１の外側に開口するように形成された第２配置部としての取付け凹部１１１ｃ内に配置されており、この取付け凹部１１１ｃの底面には、所定径の円形貫通孔１１１ｄが開けられている。この円形貫通孔１１１ｄは、発光素子１４２から発せられ、上記透孔を通過してきた光のみをできるだけ通過させて誤検出を防止できるようにするものである。
【００９０】
第１の５番車１２２、３番車１３３、秒針車１２３、分針車１３４、時針車１３６を取付ける場合は、所定の位置決めピンが、下ケース１１１の円形貫通孔１１１ｄ、位置決めとして用いられるそれぞれの透孔、および上ケース１１２の円形貫通孔１１２ｄを貫くように、順次に組付ける。そして、上ケース１１２および下ケース１１１を接合して一体化した後、位置決めピンを引き抜いて、貫通孔１１２ｄが位置する取付け凹部１１２ｃに発光素子１４２を取付け、また、貫通孔１１１ｄが位置する取付け凹部１１２ｃに受光素子１４４を取付ける。
【００９１】
これにより、貫通孔１１２ｄおよび１１１ｄは完全に塞がれ、上ケース１１２および下ケース１１１により画定される内部空間に外部の光が侵入するのを防止できる。したがって、外部の光が侵入することによる誤検出を防止できると共に、組付け時の位置決め孔と光検出用の透孔とを兼用していることから、これらの孔を別々に設ける場合に比べて装置の集約化、小型化を行うことができる。
【００９２】
手動修正系１５０は、図３および図４に示すように、上述の分針車１３４の小径歯車１３４ｂおよび時針車１３６の大径歯車１３６ａに噛合する日の裏車１３５と、この日の裏車１３５の大径歯車１３５ａに噛合する歯車１５１ａを有する手動修正軸１５１とにより構成されている。この手動修正軸１５１は、上ケース１１２の外側に位置付けられて利用者が直接指を触れることのできる頭部１５１ｂと、この頭部１５１ｂから伸びて上ケース１１２に形成された開口１１２ｅを貫挿し下ケース１１１に形成された突部１１１ｅに対して軸支された柱状部１５１ｃとからなり、この柱状部１５１ｃの下方領域に歯車１５１ａが形成されている。
【００９３】
手動修正軸１５１は、分針車１３４と同位相で回転するように構成されており、上述の第２駆動系１３０により分針車１３４が駆動されているときには日の裏車１３５を介して分針車１３４と同位相で回転すると共に、第２駆動系１３０の非作動時には、頭部１５１ｂを指で回転させることにより、指針位置を手動修正できるようになっている。
【００９４】
上記のように、秒針車１２３の秒針軸１２３ｂが分針車１３４の分針パイプ１３４ｐに挿通され、分針車１３４の分針パイプ１３４ｐが時針車１３６の時針パイプ１３６ｐに挿通されていることから、秒針車１２３と、分針車１３４と、時針車１３６とは、それぞれの回転中心軸が共通しており、また、時刻表示の際に、秒針が６０秒間に１回転、分針が６０分間に１回転、時針が１２時間に１回転するように駆動される。
【００９５】
分針車１３４の分針パイプ１３４ｐの先端部および時針車１３６の時針パイプ１３６ｐの先端部には、図１８に示すように、径方向に所定幅をなして伸びる位置決めのための第１指標としての溝１３４ｇおよび第２指標としての溝１３６ｇが形成されている。そして、これらの溝１３４ｇおよび溝１３６ｇが、一直線に並んだとき所定の時刻たとえば１２時００分を指すように設定されている。
【００９６】
このような位置決め指標を設けたことにより、分針車１３４および時針車１３６を下ケース１１１および上ケース１１２により囲繞して覆ってしまった後においても、溝１３４ｇおよび１３６ｇが一直線に並んでいれば予め設定された概略の時刻を指していることが分かるため、その状態を基に分針および時針を容易に取り付けることができ、その他の位置合わせおよび位置確認工程が不要になり、製造ラインおよび検査ラインでの製造時間および検査時間を短縮することができる。なお、位置決め指標としては、上記の溝に限るものではなく、ポッチ等のマークでもよい。
【００９７】
図１９は、図１に示した電波修正時計の指針位置検出処理の動作を示すフローチャートである。
前述したように、制御回路１４は、たとえば初期状態、外部電池セット時、および時刻修正スイッチ１２が操作された場合には、指針駆動系を駆動して基準位置検出手段の検出処理に基づいて指針車の基準位置を検出した後、電波受信系１１のフェライトバーアンテナ１１１０で受信したラジオ放送電波または標準時刻電波信号に基づいて内部時計１４０１の計時時刻を修正し、内部時計１４０１の計時時刻に基づいて指針車の指針位置を設定する。
図１９を参照しながら指針位置検出処理を説明する。
【００９８】
制御回路１４から時分用パルス信号出力パターンがセットされ（ＳＴ１０１）、ドライブ信号ＤＲ２がドライブ回路１８にローレベルで出力される。これにより、トランジスタＱ２がオンし、発光素子１４２、すなわち発光ダイオードから検出光が発せられる。
【００９９】
続いて、制御回路１４から制御信号ＣＴＬ１が出力されて秒針用ステッピングモータ１２１がパルス駆動され（ＳＴ１０２）、受光素子１４４すなわちフォトトランジスタがオンし、検出信号ＤＴ１がハイレベル（電源電圧Ｖccレベル）からローレベルに切り換わったか否かの判別が行われる（ＳＴ１０３）。
【０１００】
ここで、フォトトランジスタからの検出信号ＤＴ１がハイレベルのままに保持されている場合には、ステップ駆動を行うためにパルス数を加算する度に、フォトトランジスタからの検出信号ＤＴ１がハイレベル（電源電圧Ｖccレベル）からローレベルに切り換わったか否かの判別が行われる（ＳＴ１０４〜ＳＴ１０６）。
そして、パルス数が９に達してもフォトトランジスタからの検出信号ＤＴ１出力がハイレベル（電源電圧Ｖccレベル）からローレベルに切り換わらない場合には、時分針用ステッピングモータ１３１が１ステップ（パルス）駆動され（ＳＴ１０７）、その後再び秒針用ステッピングモータ１２１がステップ駆動され（ＳＴ１０２）て、秒針車１２３が回転駆動される。
【０１０１】
一方、ステップＳＴ１０３において、フォトトランジスタによる検出信号ＤＴ１がハイレベルからローレベルに切り換わったと判別されると、秒針車１２３が早送りされ（ＳＴ１０８）、制御回路１４に予め記憶された出力パターンとの比較が行われる（ＳＴ１０９）。
比較の結果、得られた出力パターンと記憶された出力パターンとが適合しない場合は、ステップＳＴ１０８に戻り、再び秒針車１２３が早送りされる。
【０１０２】
一方、得られた出力パターンと記憶された出力パターンとが適合した場合には、その時点（５ステップ目でもフォトトランジスタにより検出信号ＤＴ１のレベルがローレベルに切り換わらない場合において次にフォトトランジスタの出力がローレベルに切り換わった時点）で、制御信号ＣＴＬ１の出力が停止されて、秒針車１２３の回路駆動が停止される。そして、秒針車１２３が帰零位置で停止する（ＳＴ１１０）。このとき、秒針は所定時刻たとえば正時（０秒）の位置に修正され、秒針の原点検索処理が終了する。
【０１０３】
続いて、制御回路１４から制御信号ＣＴＬ２が出力されて時分針用ステッピングモータ１３１のみが所定の出力周波数でパルス駆動されて分針車１３４が早送りされる（ＳＴ１１１）。
【０１０４】
そして、フォトトランジスタからの出力パターンと制御回路１４に予め記憶された出力パターンとの比較が行われる（ＳＴ１１２）。
比較の結果、得られた出力パターンと記憶された出力パターンとが適合しない場合は、ステップＳＴ１１１の処理に戻り、再び分針車１３４が早送りされる。
【０１０５】
一方、ステップＳＴ１１２の比較の結果、得られた出力パターンと記憶された出力パターンとが適合した場合は、その時点で、制御信号ＣＴＬ２の出力が停止され、時分針用ステッピングモータ１３１が停止されて、分針車１３４および時針車１３６の駆動が停止される（ＳＴ１１３）。
【０１０６】
ここで、出力パターンと予め記憶された出力パターンとの比較による時分針車の位置検出処理は、３種類のパターンのいずれかに合わせることにより行われる。
【０１０７】
図２０は、図１に示した自動修正時計の検出光の出力パターンを説明するための図である。
すなわち、分針車１３４によるフォトトランジスタの出力パターンは、図２０（ａ）に示すように、遮光部が作用するオフの幅として、２つの幅狭のＢ部と１つの幅広のＡ部とが交互に現れるようなパターンとなり、また、時針車１３６によるフォトトランジスタの出力パターンは、図２０（ｂ）に示すように、遮光部が作用するオフの幅が３種類のＤ部、Ｅ部、Ｃ部が所定間隔をおいて交互に現れるようなパターンとなり、両者を合成した出力パターンは、図２０（ｃ）に示すように、Ｄ部，Ｂ部およびＡ部が組み合わされたパターンと、Ｅ部，Ｂ部およびＡ部が組み合わされたパターンと、Ｃ部，Ｂ部およびＡ部が組み合わされたパターンの３種類が所定の間隔をおいて現れるパターンとなる。
なお、図２０に示すパターンのうちオンとなるパターンの部分は、実際には３番車１３３の遮光部によりオフとなる部分があるので、歯抜け状のパターンとなっている。
【０１０８】
また、たとえば分針車１３４および時針車１３６の基準位置として、図２０に示すように、０時００分、４時００分、および８時００分の位置に設定されている。
【０１０９】
Ｄ部，Ｂ部およびＡ部の組み合わせからなるパターンが確認されたときをたとえば４時００分、Ｅ部，Ｂ部およびＡ部の組み合わせからなるパターンが確認されたときをたとえば８時００分、Ｃ部，Ｂ部およびＡ部の組み合わせからなるパターンが確認されたときを、たとえば１２時００分として予め設定しておけば、これらのパターンのいずれかを検出したときに、時分針用ステッピングモータ１３１を停止させることで、分針車１３４および時針車１３６すなわち分針および時針を所定の時刻に時刻修正することができる。
【０１１０】
そして、時分針用ステッピングモータ１３１を停止させた後、制御回路１４によるドライブ信号ＤＲ２がハイレベルに切り換えられる。
これにより、ドライブ回路１８のトランジスタＱ２がオフし、発光ダイオードの発光が停止され（ＳＴ１１４）、時刻修正動作を終了する。
【０１１１】
また、剣付けモードの際に、時分針車の原点検索処理が短くなるような出荷位置ＴＳ、本実施形態では１０時３０分に設定する場合を図２０を参照しながら説明する。
たとえばユーザが外部電池をセットすると、制御回路１４は、位相合わせ処理、秒針原点検索処理、分針原点検索処理、および時刻合わせ処理を行う。出荷位置ＴＳとして１０時３０分に設定した場合、図２０に示したように、出荷位置ＴＳから秒針車および時分針車を駆動させて検出光を貫通させた後、時分針を止めて秒針原点検索を行う。その後時分針車を回転させて、光センサ部１４０でＣ部を検出することで、略１２時の位置であることを検出し、Ｂ部およびＡ部を検出した時点で停止させることにより、時分針が所定の基準位置１２時００分に設定される。
【０１１２】
たとえば、この１０時３０分の位置は、時分針車を基準位置に設定する際に原点検索処理を行う際に、参照される必要最小限必要なオンオフパターンを検出する位置である。この位置に出荷時の指針を設定することにより、原点検索処理の時間が最も短い。
【０１１３】
図２１は、図１に示した電波修正時計の全体の動作を説明するためのフローチャートである。図２１を参照しながら、自動修正時計１の全体の動作を説明する。
たとえば、４０ｋＨｚまたは６０ｋＨｚの標準時刻電波信号と、２局のＡＭラジオ放送局、たとえば東京ＮＨＫ第１放送ＪＯＡＫまたは大阪ＮＨＫ第１放送ＪＯＢＫを受信するように設定されているとする。
【０１１４】
ステップＳＴ２０１，ＳＴ２０２において、制御回路１４は、出荷前の外部電池セット部２１に外部電池がセットされた初期時に制御信号ＣＴＬ１１３０を出力し、長波受信回路１１３０を受信オン状態にして、標準時刻電波信号を受信させる。
この際、たとえば標準時刻電波信号の受信周波数を切り替えさせる制御信号ＣＴＬ１１２３を出力して、標準電波周波数切替部１１２０に受信周波数を４０ｋＨｚまたは６０ｋＨｚに切り替えさせて、受信状態の良いほうの標準時刻電波信号を受信する。
【０１１５】
詳細には、まず制御回路１４は、周波数４０ｋＨｚの標準時刻電波信号を受信させる制御信号ＣＴＬ１１２３を標準電波信号切替部１２１２に出力する。標準電波信号切替部１２１３は、その制御信号ＣＴＬ１１２３が入力されると、端子Ｔａと端子Ｔｂを接続して、共振周波数を４０ｋＨｚに設定する。長波受信回路１１３０では、フェライトバーアンテナ１１１０で受信した４０ｋＨｚの標準時刻電波信号に基づいてデコードを行い、標準時刻情報を信号Ｓ１１３０として制御回路１４に出力する。
【０１１６】
たとえば、制御回路１４は、正常に標準時刻情報をデコードできない場合には、周波数６０ｋＨｚの標準時刻電波信号を受信させる制御信号ＣＴＬ１１２３を標準電波信号切替部１２１２に出力する。標準電波信号切替部１２１３は、その制御信号ＣＴＬ１１２３が入力されると、端子Ｔａと端子Ｔｂを非導通状態に設定して、共振周波数を６０ｋＨｚに設定する。長波受信回路１１３０では、フェライトバーアンテナ１１１０で受信した６０ｋＨｚの標準時刻電波信号に基づいてデコードを行い、標準時刻情報を信号Ｓ１１３０として制御回路１４に出力する。
【０１１７】
２つの周波数の切り替え方法は、上述した形態に限られるものではない。予め２つの周波数の標準時刻電波信号を受信して、受信状態の良いほうの周波数に設定してもよい。
【０１１８】
ステップＳＴ２０３において、制御回路１４は、長波受信回路１１３０から出力された初期時刻情報としての信号Ｓ１１３０を基に、内部時計１４０１の時刻情報を修正する。この際、内部時計１４０１に、標準時刻情報として年情報、曜日情報、時情報、分情報、秒情報が設定される。
【０１１９】
ステップＳＴ２０４において、制御回路１４は、内部時計１４０１が計時する標準時刻情報に基づいて表示部ＤＳＰＬ、たとえば上述したように秒針指針系１２０、分針駆動系１３０を駆動させて指針による表示時刻、およびディスプレイ３０の表示時刻を修正させる。
ステップＳＴ２０５〜ＳＴ２０７において、外部電池が外部電池セット部２１から外されると、内部電池２０により回路に電力が供給され、内部時計１４０１の時刻を計時する。また、このとき、制御回路１４は、表示部ＤＳＰＬの時刻表示駆動制御を停止する。
【０１２０】
次に、ステップＳＴ２０８において、制御回路１４は、所定の時間間隔、たとえば内部時計１４０１が計時する時刻情報を基に１２時間毎に、ＡＭラジオ放送電波を受信させる制御信号ＣＴＬ１１５０をＡＭラジオ受信回路１１５０に出力する。
本実施形態では、２つの周波数のＡＭラジオ放送電波を選択して受信できるので、制御回路１４は、受信状態の良いほうのＡＭラジオ放送電波を受信させるように制御信号ＣＴＬ１１４３を出力して、ＡＭラジオ放送電波の受信周波数を設定する。
【０１２１】
ＡＭラジオ受信回路１１５０は、受信オン状態を示す制御信号ＣＴＬ１１５０が入力されると、フェライトバーアンテナ１１１０で受信されたＡＭラジオ放送電波を基にアンプ１１５１で増幅し、水晶フィルタ部１１５２でフィルタリングを行い、検波回路１１５３で検波を行い、信号Ｓ１１５０を出力する。フィルタ部１１６０は信号Ｓ１１５０を基に時報情報のみを信号Ｓ１１６０として制御回路１４に出力する（ＳＴ２０９）。
【０１２２】
この際、ＡＭラジオ放送電波と、標準時刻電波信号の周波数は、１０倍程度差があるのでフェライトバーアンテナ１１１０で共通に受信したとしても略無干渉である。
【０１２３】
この際、内部時計１４０１では標準時刻電波信号に基づいて時刻情報として年情報、月情報、日情報、時情報、分情報が計時されているので、制御回路１４は、時報情報を基に秒情報を修正する（ＳＴ２１０）。もちろん、信号Ｓ１１６０に基づいて時情報や分情報を修正するように構成することも可能である。
【０１２４】
ステップＳＴ２１１〜ＳＴ２１３において、ユーザが外部電池をセット（再セット）すると、内部電池２０による電力供給に代えて外部電池により電力が供給され、制御回路１４は、秒針指針系１２０、分針駆動系１３０を駆動させて、指針位置の原点検索を行い、内部時計の情報に基づく指針位置へ自動設定する。
【０１２５】
その後、ステップＳＴ２１４において、制御回路１４は、内部時計１４０１が計時する時刻情報に基づいてＡＭラジオ放送電波を受信するタイミング制御を行う。
制御回路１４は、受信タイミング制御として、たとえば内部時計１４０１が計時する時刻情報を基に毎正時を含む所定時間、たとえば毎正時の数１０秒前からＡＭラジオ放送電波を受信させる制御信号ＣＴＬ１１５０をＡＭラジオ受信回路１１５０に出力する。
通常、水晶時計は月差数１０秒の精度なので、上述したようにラジオ放送電波の受信を開始すれば確実に時報情報を受信することができる。
【０１２６】
本実施形態では、２つの周波数のＡＭラジオ放送電波を選択して受信できるので、制御回路１４は、受信状態の良いほうのＡＭラジオ放送電波を受信させるように制御信号ＣＴＬ１１４３を出力して、ＡＭラジオ放送電波の受信周波数を設定する。
【０１２７】
ＡＭラジオ受信回路１１５０は、受信オン状態を示す制御信号ＣＴＬ１１５０が入力されると、フェライトバーアンテナ１１１０で受信されたＡＭラジオ放送電波を基にアンプ１１５１で増幅し、水晶フィルタ部１１５２でフィルタリングを行い、検波回路１１５３で検波を行い、信号Ｓ１１５を出力する。フィルタ部１１６０は信号Ｓ１１５０を基に時報情報のみを信号Ｓ１１６０として制御回路１４に出力する（ＳＴ２１５）。
【０１２８】
この際、ＡＭラジオ放送電波と、標準時刻電波信号の周波数は、１０倍程度差があるのでフェライトバーアンテナ１１１０で共通に受信したとしても略無干渉である。
【０１２９】
制御回路１４は、信号Ｓ１１６０を基に、たとえば周波数８８０Ｈｚの立ち上がりを検出し、その立ち上がり時間を毎正時（００分００秒）とする。この際、内部時計１４０１では標準時刻電波信号に基づいて時刻情報として年情報、月情報、日情報、時情報、分情報が計時されているので、制御回路１４は、時報情報を基に秒情報を修正する（ＳＴ２１６）。
【０１３０】
ステップＳＴ２１７において、制御回路１４は、内部時計１４０１が計時する時刻情報を基に、秒針駆動系１２０を駆動して、表示時刻を修正する。ステップＳＴ２１３の処理に戻る。
【０１３１】
以上説明したように、内部時計１４０１と、時刻表示を行う表示部ＤＳＰＬと、標準時刻電波信号および所定時刻に時報情報を含む放送電波を受信可能なフェライトバーアンテナ１１１０と、複数の異なる標準電波の受信周波数を切り替える標準電波周波数切替部１１２０と、フェライトバーアンテナ１１１０で受信し、標準電波周波数切替部１１２０を介して入力された標準時刻電波信号を基に標準時刻信号を生成する長波（標準電波）受信回路１１３０と、フェライトバーアンテナ１１１０で受信した放送電波を基に時報情報を抽出するＡＭラジオ受信回路１１５０と、正確な初期時刻情報を得た後、出荷時に外部電池セット部２１から外部電位セット部２１から外部電池が外されると、運針制御を停止し、電源切替部１９により内部電池２０の電力を受けて内部時計１４０１を計時し、かつ、所定の時間間隔でラジオ放送電波の時報情報を受信させて、抽出された時報情報を基に時刻修正を行い、内部時刻の精度を確保し、外部電池が再セットされると、指針位置の原点検索を行い、内部時計の情報に基づく指針位置へ自動設定し、この状態でＡＭラジオ放送電波の正時信号を受信すると、内部時計に発生していた誤差を修正し、この誤差情報に基づく針合わせを行う制御回路１４を設けたので、比較的短い時間で、しかもノイズ等の影響を受けやすい標準時刻電波信号の受信環境にかかわりなく確実に自動時刻修正を行うことができる。
【０１３２】
すなわち、本実施形態においては、時刻情報をラジオやテレビジョン等の公共放送で、かつ、送信出力の大きな放送局を利用し、また、ラジオの周波数帯は、電波の仕様制約が厳しく規制されているため、ノイズなどの受信環境が比較的良好に整備されているラジオの回路を適用することができ、実績のある安価な回路部品と回路構成を実現することができる。
そして、標準電波では困難とされている、車載用自動修正時計の走行中の受信も容易に実現可能であり、自動修正時計の利用範囲の選択肢を広げることができる。
【０１３３】
また、標準時刻電波信号および放送電波を共通のフェライトバーアンテナ１１１０により受信するので、ＡＭラジオ放送電波を受信するために、新たにアンテナを設ける必要がなく、アンテナ部を小型化することができる。
【０１３４】
また、アンテナ部は、複数の異なる標準電波の受信周波数を設定可能な標準電波周波数切替部１１２０を設け、制御回路１４が標準時刻電波信号の受信状態に基づいて標準電波周波数切替部１１２０に受信状態の良好な周波数を設定させるので、受信状態の良好な標準時刻電波信号を受信することができる。
【０１３５】
また、放送電波は、時報情報として、少なくとも毎正時に同期した予め設定された周波数の正時信号を含み、ＡＭラジオ受信回路１１５０は、放送電波を基に周波数の正時信号を抽出する水晶フィルタ部１１５２を含み、制御回路１４は、水晶フィルタ部１１５２が抽出した正時信号を基に内部時計１４０１が計時する時刻情報を修正するので、放送電波中にノイズがあった場合でも時報情報を基に時刻修正を行うことができる。
【０１３６】
なお、本発明は本実施形態に限られるものではなく、任意好適な種々の変更が可能である。
【０１３７】
また、標準時刻電波信号を受信して時刻修正を行う設定時刻と、時報情報を含む放送電波を受信して時刻修正を行う設定時刻は、上述した形態に限られるものではない。
【０１３８】
また、ＡＭラジオ受信回路が受信するＡＭラジオ放送局は、上述した形態に限られるものではない。
【図面の簡単な説明】
【０１３９】
【図１】本発明に係る自動修正時計の一実施形態を示すシステム構成図である。
【図２】図１の自動修正時計における電波受信系の具体的な構成例を示す回路図である。
【図３】図１の自動修正時計の輪列部を含む平面図である。
【図４】図３の自動修正時計の断面図である。
【図５】本発明に係る制御回路における電波受信状態を説明するための図である。
【図６】標準時刻電波信号の時刻コードの一例を示している。（ａ）は毎時１５，４５分以外のフォーマット、（ｂ）は毎時１５分，４５分のフォーマットを示す。
【図７】図２に示したＡＭラジオ受信回路の一具体例を示す機能ブロック図である。
【図８】一般的なＡＭラジオ放送電波に毎正時付近に含まれる時報情報の一具体例を示す図である。
【図９】図８に示した毎正時付近に時報情報を含むＡＭラジオ放送電波の周波数スペクトラムを説明するための図である。
【図１０】電波修正時計の一部である秒針を駆動する第１駆動系を示す平面図である。
【図１１】電波修正時計の一部である分針および時針を駆動する第２駆動系を示す平面図である。
【図１２】秒針を駆動する第１駆動系の一部をなす第１の５番車を示す平面図である。
【図１３】秒針を駆動する第１駆動系の一部をなす秒針車を示す平面図である。
【図１４】秒針を駆動する第１駆動系の一部をなす秒針車の他の例を示す平面図である。
【図１５】分針および時針を駆動する第２駆動系の一部をなす３番車を示す平面図である。
【図１６】分針および時針を駆動する第２駆動系の一部をなす分針車を示す平面図である。
【図１７】分針および時針を駆動する第２駆動系の一部をなす時針車を示す平面図である。
【図１８】分針パイプおよび時針パイプの先端部を示す端面図である。
【図１９】図１に示した電波修正時計の指針位置検出処理の動作を示すフローチャートである。
【図２０】図１に示した電波修正時計の検出光の出力パターンを説明するための図である。
【図２１】図１に示した電波修正時計の全体の動作を説明するためのフローチャートである。
【符号の説明】
【０１４０】
１…電波修正時計、１１…電波受信系、１２…時刻修正スイッチ、１３…発振回路、１４…制御回路、１５…ドライブ回路、１６…発光素子、１７…バッファ回路、１８…ドライブ回路、２０…表示部、１００…時計本体部（機械機構：ムーブメント）、１１１…下ケース、１１２…上ケース、１１３…中板、１２０…第１駆動系（秒針駆動系）、１２１…秒針用モータ（第一駆動源）、１２２…第１の５番車（第一伝達歯車、第一検出用歯車）、１２３…秒針車（第２検出用歯車、第一指針車）、１２６…６番車、１２７…７番車、１３０…第２駆動系（時分針駆動系）、１３１…時分針用モータ（第２駆動源）、１３２…第２の５番車、１３３…３番車、１３４…分針車（第２指針車）、１３５…日の裏車、１３６…時針車（第２指針車）、１４０…光検出センサ、１４２…発光素子、１４３…回路基板、１４４…受光素子、１５０…手動修正系、１５１…手動修正軸、１１１０…フェライトバーアンテナ、１１２０…標準電波周波数切替部、１１３０…長波（標準電波）受信回路、１１４０…ラジオ放送周波数切替部、１１５０…ＡＭラジオ受信回路、１１５１…アンプ、１１５２…水晶フィルタ部、１１５３…検波回路、１１６０…フィルタ、１４０１…内部時計、１４０２…メモリ。
【図１】
2005189084.tif 000004
【図２】
2005189084.tif 000005
【図３】
2005189084.tif 000006
【図４】
2005189084.tif 000007
【図５】
2005189084.tif 000008
【図６】
2005189084.tif 000009
【図７】
2005189084.tif 000010
【図８】
2005189084.tif 000011
【図９】
2005189084.tif 000012
【図１０】
2005189084.tif 000013
【図１１】
2005189084.tif 000014
【図１２】
2005189084.tif 000015
【図１３】
2005189084.tif 000016
【図１４】
2005189084.tif 000017
【図１５】
2005189084.tif 000018
【図１６】
2005189084.tif 000019
【図１７】
2005189084.tif 000020
【図１８】
2005189084.tif 000021
【図１９】
2005189084.tif 000022
【図２０】
2005189084.tif 000023
【図２１】
2005189084.tif 000024